(57)【要約】【課題】　透光性表示パネルの取り替えて表示内容を変更する作業が簡単な表示用照明装置を提供する。【解決手段】　光源１が内蔵された本体ケース２の内部に導光パネル３の端縁部3aを収容固定し、この端縁部3aから光源１の光が導入されて導光パネル３の表面に積層取着される透光性表示パネル４を通じ照明表示されるようになした表示用照明装置において、本体ケース２に形成された開口部５から突出した状態にある導光パネル３の露出表面に透光性表示パネル４を着脱自在に積層取着した。【選択図】図１
2004139028.tif 000002
【特許請求の範囲】
【請求項１】
　光源が内蔵された本体ケースの内部に導光パネルの端縁部を収容固定し、この端縁部から光源の光が導入されて導光パネルの表面に積層取着される透光性表示パネルを通じ照明表示されるようになした表示用照明装置であって、本体ケースに形成された開口部から突出した状態にある導光パネルの露出表面に透光性表示パネルを着脱自在に積層取着してなる表示用照明装置。
【請求項２】
　透光性表示パネルの一端辺部を本体ケースの開口部に挿入保持させると共に、この一端辺部と対向する他端辺部を導光パネルに止め具で係着させることによって、同透光性表示パネルを着脱自在に取着したことを特徴とする請求項１記載の表示用照明装置。
【請求項３】
　透光性表示パネルが透光板の表面に表示シートを貼着したものであることを特徴とする請求項１又は２記載の表示用照明装置。
【請求項４】
　導光パネルの両側の露出表面に透光性表示パネルを着脱自在に積層取着して、同導光パネルの両側で照明表示されるようになしたことを特徴とする請求項１〜３のいずれか一つに記載の表示用照明装置。
【請求項５】
　対の透明板が間隔をあけて並設される偏平形状の透光ボックスを形成し、この透光ボックスの両透明板間の間隔にその端縁部の開口から重なる二枚の導光板を挿入収納して導光パネルとしたことを特徴とする請求項４記載の表示用照明装置。
【請求項６】
　本体ケースの開口部から導光パネルを突出垂下させ、この導光パネルの下端縁部に沿って支持フレームを設け、透光性表示パネルの上端辺部を同本体ケースの開口部に挿入保持させると共に、下端辺部を下方へ移動させて前記支持フレーム上に係止させることによって、同透光性表示パネルを着脱自在に取着したことを特徴とする請求項１記載の表示用照明装置。
【請求項７】
　下端辺部が支持フレーム上に係止された透光性表示パネルの上端辺部が上方へ移動するのを阻止するストッパー手段を本体ケースに設けたことを特徴とする請求項６記載の表示用照明装置。
【請求項８】
　本体ケースと導光パネルの上端縁部付近とを略水平方向に貫通する杆状部材をストッパー手段として着脱自在に付設したことを特徴とする請求項７記載の表示用照明装置。
【請求項９】
　本体ケースの開口部の開口縁と透光性表示パネルの表面との間に、この間の隙間を閉塞するパッキンを介設したことを特徴とする請求項２又は６記載の表示用照明器具。
【発明の詳細な説明】
【技術分野】
【０００１】
　本発明は、導光パネルの端縁部から光源の光を導入させ、同導光パネルの表面に積層取着される透光性表示パネルを通して照明表示されるようになした表示用照明装置に関するものである。
【背景技術】
【０００２】
　従来から、導光パネルの端縁部から光源の光を導入させ、同導光パネルの表面に積層取着される透光性表示パネルを通して照明表示されるようになした表示用照明装置は知られている（特開２００２−２５３１３号公報、特開２００２−１７０４１１号公報参照）。この種の表示用照明装置は、非常灯、誘導灯等として使用され、光源からの光を効率的に利用して、効果的な照明表示を行うことができるものである。又、この種の表示用照明装置では、一般に、透光性表示パネルがその表面に表示用の印刷を施したものであり、この透光性表示パネルと導光パネルとをフレームやケース等で一体化して本体ケースに取着固定している。
【特許文献１】特開２００２−２５３１３号公報
【特許文献２】特開２００２−１７０４１１号公報
【発明の開示】
【発明が解決しようとする課題】
【０００３】
　しかしながら、上記従来の技術にあっては、表示内容を変更する場合、透光性表示パネルと導光パネルとが一体化されたものを本体ケースから取り外し、この透光性表示パネルと導光パネルとをフレームやケース等から分解して、表示用の印刷が施された同透光性表示パネルを取り替えなければならず、その作業は手間を要し困難であるという問題があった。本発明は、上記従来の技術における問題を悉く解決するために発明されたもので、その課題は、表示内容を変更する作業が簡単な表示用照明装置を提供することである。
【課題を解決するための手段】
【０００４】
　本発明の請求項１記載の表示用照明装置は、光源が内蔵された本体ケースの内部に導光パネルの端縁部を収容固定し、この端縁部から光源の光が導入されて導光パネルの表面に積層取着される透光性表示パネルを通じ照明表示されるようになした表示用照明装置であって、本体ケースに形成された開口部から突出した状態にある導光パネルの露出表面に透光性表示パネルを着脱自在に積層取着してなる。したがって、この場合、光源が内蔵された本体ケースの内部に導光パネルの端縁部を収容固定し、この端縁部から光源の光が導入されて導光パネルの表面に積層取着される透光性表示パネルを通じ照明表示されるようになしているため、本体ケース内の光源からの光が効率的に利用されて効果的な照明表示を行うことができ、装置全体の小型化も図られる。しかも、本体ケースに形成された開口部から突出した状態にある導光パネルの露出表面に透光性表示パネルを着脱自在に積層取着しているため、本体ケースに導光パネルが取着固定されたままの状態で、この導光パネルの露出表面に透光性表示パネルのみを着脱させて容易に取り替えることができ、同透光性表示パネルによる表示内容を変更する作業は簡単となる。
【０００５】
　本発明の請求項２記載の表示用照明装置は、上記請求項１記載の表示用照明装置において、透光性表示パネルの一端辺部を本体ケースの開口部に挿入保持させると共に、この一端辺部と対向する他端辺部を導光パネルに止め具で係着させることによって、同透光性表示パネルを着脱自在に取着したことを特徴とする。したがって、この場合は特に、透光性表示パネルの一端辺部が本体ケースの開口部に挿入保持され、この状態で、同一端辺部と対向する他端辺部を導光パネルに止め具で係着させることができて、この透光性表示パネルを取り替える作業はより簡単となる。
【０００６】
　本発明の請求項３記載の表示用照明装置は、上記請求項１又は２記載の表示用照明装置において、透光性表示パネルが透光板の表面に表示シートを貼着したものであることを特徴とする。したがって、この場合は特に、表示シートを貼着するための透光板が導光パネルの露出表面に新たに設けられることになり、同透光板の表面に表示シートが貼着された透光性表示パネルを着脱させて容易に取り替えることができる。又、貼着された表示シートを透光板の表面からきれいに剥離し得るなれば、同透光板を再利用することも可能となる。
【０００７】
　本発明の請求項４記載の表示用照明装置は、上記請求項１〜３のいずれか一つに記載の表示用照明装置において、導光パネルの両側の露出表面に透光性表示パネルを着脱自在に積層取着して、同導光パネルの両側で照明表示されるようになしたことを特徴とする。したがって、この場合は特に、導光パネルの両側の露出表面に透光性表示パネルが着脱自在に積層取着されてその両側で照明表示されるので、光源からの光はより有効に活用され、照明表示する範囲が両側に拡大される。
【０００８】
　本発明の請求項５記載の表示用照明装置は、上記請求項４記載の表示用照明装置において、対の透明板が間隔をあけて並設される偏平形状の透光ボックスを形成し、この透光ボックスの両透明板間の間隔にその端縁部の開口から重なる二枚の導光板を挿入収納して導光パネルとしたことを特徴とする。したがって、この場合は特に、透光ボックスの両透明板間の間隔にその端縁部の開口から重なる二枚の導光板を挿入収納して導光パネルとされるので、同二枚の導光板により両側での照明表示が各別により効果的に行われ、両導光板は透光ボックス内で重ね合わされて確実に収納保持され、導光パネルとして一体化されて、この導光パネルの端縁部が簡単に本体ケースの内部に収容固定される。
【０００９】
　本発明の請求項６記載の表示用照明装置は、上記請求項１記載の表示用照明装置において、本体ケースの開口部から導光パネルを突出垂下させ、この導光パネルの下端縁部に沿って支持フレームを設け、透光性表示パネルの上端辺部を同本体ケースの開口部に挿入保持させると共に、下端辺部を下方へ移動させて前記支持フレーム上に係止させることによって、同透光性表示パネルを着脱自在に取着したことを特徴とする。したがって、この場合は特に、透光性表示パネルの上端辺部を本体ケースの開口部に挿入し、引き続き下方へ移動させてその下端辺部を支持フレーム上に係止させることにより、所謂、けんどん式に同透光性表示パネルを簡単に着脱させることができて、この透光性表示パネルを取り替える作業はより簡単となる。しかも、透光性表示パネルの重量が支持フレーム上に受けられるので、同透光性表示パネルは確実、強固に保持される。
【００１０】
　本発明の請求項７記載の表示用照明装置は、上記請求項６記載の表示用照明装置において、下端辺部が支持フレーム上に係止された透光性表示パネルの上端辺部が上方へ移動するのを阻止するストッパー手段を本体ケースに設けたことを特徴とする。したがって、この場合は特に、けんどん式に取着された透光性表示パネルの上方への移動がストッパー手段によって阻止されるので、同透光性表示パネルはガタツキや地震振動等によっても上方へ浮き上がり移動せず、落下しないようより安全に保持される。
【００１１】
　本発明の請求項８記載の表示用照明装置は、上記請求項７記載の表示用照明装置において、本体ケースと導光パネルの上端縁部付近とを略水平方向に貫通する杆状部材をストッパー手段として着脱自在に付設したことを特徴とする。したがって、この場合は特に、杆状部材でなるストッパー手段が本体ケース及び導光パネルを貫通するよう着脱自在に付設されるので、透光性表示パネルはその上端辺部が同ストッパー手段に当止して上方へ浮き上がり移動せず、このストッパー手段の着脱作業も杆状部材の差し抜き操作によって簡単に行われるようになる。
【００１２】
　本発明の請求項９記載の表示用照明装置は、上記請求項２又は６記載の表示用照明装置において、本体ケースの開口部の開口縁と透光性表示パネルの表面との間に、この間の隙間を閉塞するパッキンを介設したことを特徴とする。したがって、この場合は特に、本体ケースの開口部の開口縁と透光性表示パネルの表面との間の隙間から漏出する不要な光を遮光することができ、しかも、同透光性表示パネルは導光パネルと共にパッキンによって本体ケースにぐらつきなく安定した状態で支持される。
【発明の効果】
【００１３】
　本発明の請求項１記載の表示用照明装置においては、本体ケース内の光源からの光が効率的に利用されて効果的な照明表示を行うことができ、装置全体の小型化も図られ、しかも、本体ケースに導光パネルが取着固定されたままの状態で、この導光パネルの露出表面に透光性表示パネルのみを着脱させて容易に取り替えることができ、同透光性表示パネルによる表示内容を変更する作業は簡単となる。
【００１４】
　又、本発明の請求項２記載の表示用照明装置においては、特に、透光性表示パネルの一端辺部が本体ケースの開口部に挿入保持され、この状態で、対向する他端辺部を導光パネルに止め具で係着させることができて、この透光性表示パネルを取り替える作業はより簡単となる。
【００１５】
　又、本発明の請求項３記載の表示用照明装置においては、特に、透光板の表面に表示シートが貼着された透光性表示パネルを着脱させて容易に取り替えることができ、同表示シートを透光板の表面からきれいに剥離し得るなれば、この透光板を再利用することも可能となる。
【００１６】
　又、本発明の請求項４記載の表示用照明装置においては、特に、導光パネルのの両側で照明表示されて、光源からの光がより有効に活用され、照明表示する範囲も両側に拡大される。
【００１７】
　又、本発明の請求項５記載の表示用照明装置においては、特に、両側での照明表示が各別により効果的に行われ、両導光板は透光ボックス内で重ね合わされて確実に収納保持され、導光パネルの端縁部が簡単に本体ケースの内部に収容固定される。
【００１８】
　又、本発明の請求項６記載の表示用照明装置においては、特に、透光性表示パネルがけんどん式に着脱されてこれを取り替える作業はより簡単となる。しかも、透光性表示パネルはその重量が支持フレーム上で受けられて確実、強固に保持される。
【００１９】
　又、本発明の請求項７記載の表示用照明装置においては、特に、けんどん式に取着された透光性表示パネルの上方への移動がストッパー手段で阻止されて、同透光性表示パネルは浮き上がらず落下しないようより安全に保持される。
【００２０】
　又、本発明の請求項８記載の表示用照明装置においては、特に、透光性表示パネルの上端辺部が杆状部材でなるストッパー手段に当止して、この透光性表示パネルは上方へ浮き上がり移動せず、同ストッパー手段の着脱作業も差し抜き操作によって簡単に行われるようになる。
【００２１】
　又、本発明の請求項９記載の表示用照明装置においては、特に、隙間から漏出する不要な光をパッキンで遮光することができ、しかも、透光性表示パネルは導光パネルと共に同パッキンによって本体ケースにぐらつきなく安定した状態で支持される。
【発明を実施するための最良の形態】
【００２２】
　図１〜４は、本発明の請求項１〜５、９に対応した第一の実施形態である表示用照明装置を示している。この表示用照明装置は、光源１が内蔵された本体ケース２の内部に導光パネル３の端縁部3aを収容固定し、この端縁部3aから光源１の光が導入されて導光パネル３の表面に積層取着される透光性表示パネル４を通じ照明表示されるようになしたものである。この場合に、本体ケース２に形成された開口部５から突出した状態にある導光パネル３の露出表面に透光性表示パネル４を着脱自在に積層取着している。
【００２３】
　又、この実施形態の表示用照明装置では、透光性表示パネル４の一端辺部4aを本体ケース２の開口部５に挿入保持させると共に、この一端辺部4aと対向する他端辺部4bを導光パネル３に止め具６で係着させることによって、同透光性表示パネル４を着脱自在に取着している。この場合、透光性表示パネル４が透光板の表面に表示シートを貼着したものである。
【００２４】
　更に、この実施形態の表示用照明装置では、導光パネル３の両側の露出表面に透光性表示パネル４を着脱自在に積層取着して、同導光パネル３の両側で照明表示されるようになしている。この場合、対の透明板７が間隔をあけて並設される偏平形状の透光ボックス８を形成し、この透光ボックス８の両透明板７間の間隔にその端縁部3aの開口から重なる二枚の導光板９を挿入収納して導光パネル３としている。
【００２５】
　以下、この実施形態の表示用照明装置について、より詳細に説明する。図２に示す如く、本体ケース２は横長の箱形状であり、図１に示す如く、その長手方向に直交する断面形状が上下に長い矩形状で、天井面10等に設置固定され、導光パネル３は同本体ケース２から垂設される。本体ケース２の内部には、光源１となる直管型の蛍光灯、及び、これを点灯制御する点灯装置11、等が収容設置されている。光源１の周囲には反射板12が設けられており、この反射板12は前後に分割されてその下方にのみ開口され、この開口から照出射される光が導光パネル３の端縁部3aに導入される。
【００２６】
　本体ケース２の前面側にはカバー板13が固定ビス14にて着脱自在に取着されており、このカバー板13を着脱開閉することで、同本体ケース２の内部を点検したり、光源１となる蛍光灯を取り替えたりすることができる。その際、前記前後に分割された前側の反射板12を固定している固定ツマミ15と共に、同前側の反射板12が着脱される。本体ケース２の下側には、その長手方向略全長にわたって開口した開口部５が形成されており、導光パネル３は同開口部５の略全長から垂下突設される。
【００２７】
　図３にも示す如く、導光パネル３は横長の矩形板状で、その上方の端縁部3aが開口した偏平形状の透光ボックス８の同開口から、二枚の導光板９を挿入収納して形成される。透光ボックス８は上縁にのみ開口した偏平矩形状の箱型で、一対の透明アクリル樹脂製の透明板７が間隔をあけて並設されてなり、その両側縁及び下縁は遮光性周壁部16で覆われていて、二枚重ねの導光板９が両透明板７間の間隔に同上縁の開口から挿入収納されて保持される。
【００２８】
　導光板９は透明アクリル樹脂でなり、二枚重ね合わされた状態で前記透光ボックス８の内部に適合して収納保持される形状に形成されている。両導光板９の表面側からは前記光源１から導入された光が放射されるものであり、両者の裏面の接合面17間には反射シートが介在される等して、両表面側の照明表示は相互に干渉しないよう各別に行われる。
【００２９】
　そして、このように透光ボックス８内に導光板９を収納保持してなる導光パネル３は、その上端縁部分が前記本体ケース２の開口部５に下方から挿入されて取着固定される。この場合、導光パネル３の上端縁部分には複数の貫通孔18が穿設されており、図１に示す如く、取付ツマミ19を同貫通孔18に挿通させることによって、同導光パネル３は本体ケース２に取着固定される。なお、その際、前記カバー板13が着脱開閉される。
【００３０】
　透光性表示パネル４は、前記導光パネル３の両側の露出表面、すなわち、前記透光ボックス８の両透明板７の表面各々に積層取着される。ここでは、透光性表示パネル４の上辺となる一端辺部4aを本体ケース２の開口部５に挿入保持させると共に、下辺となる他端辺部4bを導光パネル３に止め具６で係着させることによって、同透光性表示パネル４を着脱自在に取着している。
【００３１】
　この場合、図４に示す如く、本体ケース２に取着固定されてこれから垂設された状態にある導光パネル３の両側の露出表面に、透光性表示パネル４が各々積層取着されるものである。その際、本体ケース２の開口部５の対向する開口縁には光漏れ防止用の植毛パッキン20が付設されていて、同開口部５に挿入される透光性表示パネル４の一端辺部4aはこの植毛パッキン20と導光パネル３との間に差し込まれる。なお、ここでは、植毛パッキン20を採用しているが、軟質樹脂やゴム製のパッキンを採用しても構わない。
【００３２】
　又、ここでは、透光性表示パネル４の上辺となる一端辺部4aが導光パネル３の上方の端縁部3aよりも短く形成されていて、この導光パネル３の端縁部3aが本体ケース２に取付ツマミ19で取着固定された状態であっても、同透光性表示パネル４の一端辺部4aを開口部５に支障なく挿入保持させることができる。しかも、両側の植毛パッキン20によって、導光パネル３と共にその両側の透光性表示パネル４が挟持され、これ等はぐらつきなく安定した状態にて本体ケース２に支持される。更には、両側の植毛パッキン20によって、本体ケース２からの光漏れ（特に、導光パネル３の透光性表示パネル４で覆われていない部分から出射される不要な光の漏出）が防止されるだけでなく、同本体ケース２内の防水性や防塵性等も確保される。
【００３３】
　そして、前記透光性表示パネル４の一端辺部4aを本体ケース２の開口部５に差し込んだ状態で、両透光性表示パネル４及び導光パネル３の下端部付近を貫通するように止め具６が装着される。止め具６はネジ受け部材6aとネジ部材6bとでなり、両者が両透光性表示パネル４の他端辺部4bで導光パネル３をも貫通するように螺着結合されて、両透光性表示パネル４は同導光パネル３の両側の露出表面に着脱自在に積層挟着される。
【００３４】
　又、前記透光性表示パネル４は、透明アクリル樹脂製の透光板の表面に、表示用の印刷等が施された表示シートを貼着してなる。この場合に、表示シートが透光板の表面に容易に剥離し得るように貼着されていれば、表示内容変更時に同透光板を再利用することができる。この場合、透光性表示パネル４のみを本体ケース２から取り外し、この透光性表示パネル４の透光板に表示シートを張り替える作業を、同本体ケース２の設置場所とは別の場所で容易に行うことができる。
【００３５】
　したがって、この実施形態の表示用照明装置においては、光源１が内蔵された本体ケース２の内部に導光パネル３の端縁部3aを収容固定し、この端縁部3aから光源１の光が導入されて導光パネル３の表面に積層取着される透光性表示パネル４を通じ照明表示されるようになしているため、本体ケース２内の光源１の光が外部に有効に導出されて効率的に活用され、誘導灯や非常灯の他広告灯等として高輝度で効果的な照明表示を行うことができ、装置全体の小型化も図られる。
【００３６】
　しかも、本体ケース２に形成された開口部５から突出した状態にある導光パネル３の露出表面に透光性表示パネル４を着脱自在に積層取着しているため、本体ケース２に導光パネル３が取着固定されたままの状態で、この導光パネル３の露出表面に透光性表示パネル４のみを着脱させて容易に取り替えることができ、同透光性表示パネル４による表示内容を変更する作業は簡単となる。更に、ここでは、透光性表示パネル４の一端辺部4aが本体ケース２の開口部５に差し込み保持された状態で、対向する他端辺部4bを導光パネル３に止め具６にて係着させることができるので、同透光性表示パネル４の取替作業はより簡単となる。
【００３７】
　又、この実施形態の表示用照明装置においては、透光性表示パネル４が透光板の表面に表示シートを貼着したものであり、この表示シートを貼着するための透光板が導光パネル３の露出表面に新たに設けられることになるので、同透光板の表面に表示シートが貼着された透光性表示パネル４を着脱させて容易に取り替えることができる。又、貼着された表示シートを透光板の表面からきれいに剥離し得るなれば、同透光板を再利用することも可能となり、その際、この透光板に表示シートを張り替える作業が容易となる。
【００３８】
　又、この実施形態の表示用照明装置においては、導光パネル３の両側の露出表面に透光性表示パネル４が着脱自在に積層取着されて、同導光パネル３の両側で照明表示されるので、光源１からの光はより有効に活用され、照明表示する範囲が両側方周辺に拡大されて、誘導灯、非常灯、広告灯、等としての表示機能は向上される。
【００３９】
　更に、この場合、透光ボックス８の両透明板７間の間隔にその端縁部3aの開口から重なる二枚の導光板９を挿入収納して導光パネル３とされるので、同二枚の導光板９により両側での照明表示が各別により効果的に行われ、両導光板９は透光ボックス８内で重ね合わされて確実に収納保持され、導光パネル３として一体化形成されて、この導光パネル３の端縁部3aを簡単に本体ケース２の内部に収容固定することができる。
【００４０】
　図５は、本発明の請求項１、３〜５に対応した第二の実施形態である表示用照明装置を示している。この表示用照明装置では、透光性表示パネル４の一端辺部4aが本体ケース２の開口部５に挿入保持さておらず、この一端辺部4a及びこれと対向する他端辺部4bが共に止め具６で導光パネル３に係着されており、これによって、両透光性表示パネル４は同導光パネル３に対して着脱自在に積層取着されている。なお、それ以外は、上記第一の実施形態と同様に構成され、同第一の実施形態におけると同様の作用効果が奏される。
【００４１】
　図６、７は、本発明の請求項１、３、４、６〜９に対応した第三の実施形態である表示用照明装置を示している。この表示用照明装置では、本体ケース２の開口部５から導光パネル３を突出垂下させ、この導光パネル３の下端縁部3bに沿って支持フレーム21を設け、透光性表示パネル４の上端辺部4aを同本体ケース２の開口部５に挿入保持させると共に、下端辺部4bを下方へ移動させて前記支持フレーム21上に係止させることによって、同透光性表示パネル４を着脱自在に取着している。
【００４２】
　又、この表示用照明装置では、前記下端辺部4bが支持フレーム21上に係止された透光性表示パネル４の上端辺部4aが上方へ移動するのを阻止するストッパー手段22を本体ケース２に設けており、この場合、本体ケース２と導光パネル３の上端縁部3a付近とを略水平方向に貫通する杆状部材を同ストッパー手段22として着脱自在に付設している。
【００４３】
　前記支持フレーム21は中空型材形状で、導光パネル３の下端縁部3bに取着固定されており、この場合、導光パネル３となる両導光板９の裏側の接合面17間には、反射機能をも有するフレーム取付板が介在されており、このフレーム取付板の下端縁に同支持フレーム21を一体に形成している。そして、支持フレーム21の導光パネル３表裏両側には上方へ開口した凹溝部23が形成され、この凹溝部23内に透光性表示パネル４の下端辺部4bを上方から落とし込んで係止させている。
【００４４】
　又、導光パネル３の両側端縁には断面略コ字型の縦フレーム24が嵌合されてネジ止め装着され、同縦フレーム24の上端付近には取着片25が突設されていて、この取着片25は本体ケース２の下側にネジ止め固定されている。この場合、両側の縦フレーム24とその下端を連結する支持フレーム21とで囲まれる部位で導光パネル３が確実に支持され、この導光パネル３の表裏両側に透光性表示パネル４は各々積層取着されて、これ等のユニット化されたものが前記フレーム取付板と共に本体ケース２に対して確実に垂設固定される。
【００４５】
　前記杆状部材でなるストッパー手段22は、本体ケース２の側壁及び導光パネル３の上端縁部3a付近を貫通されて保持されるものであり、この場合、杆状部材としてネジ杆が使用され、同本体ケース２の側壁から螺合挿入されるものである。しかも、その際、透光性表示パネル４の上端辺部4a付近に通孔26が穿設されていて、この通孔26にもストッパー手段22は貫通されるものであり、同透光性表示パネル４のズレ動きが確実に阻止される。
【００４６】
　又、本体ケース２の前面側にはカバー板13が枢支部材27を介して回動開閉自在に枢着されており、このカバー板13を回動開閉することで、同本体ケース２の内部を点検したり、光源１となる蛍光灯を取り替えたりすることができる。又、カバー板13を下方へ回動させて閉じた状態では、このカバー板13によって前記ストッパー手段22の挿入部位が体裁良く覆い隠される。この場合、カバー板13の内側に上記実施形態における前側の反射板12を付設しておき、この前側の反射板12が同カバー板13の回動開閉動作に伴って着脱動作されるようになしてもよい。
【００４７】
　したがって、この実施形態の表示用照明装置においては、図７（ａ）に示す如く、両透光性表示パネル４の上端辺部4aを本体ケース２の開口部５両側に各々下方から挿入し、引き続き、図７（ｂ）に示す如く、両透光性表示パネル４を下方へ移動させてその各下端辺部4bを支持フレーム21上の両凹溝部23に係止させることにより、簡単に取着することができる。この場合、所謂、けんどん式に透光性表示パネル４を簡単に着脱させることができて、この透光性表示パネル４を取り替える作業はより簡単となる。しかも、透光性表示パネル４の重量が支持フレーム21上に受けられるので、両透光性表示パネル４は導光パネル３の両側で確実且つ強固に保持される。
【００４８】
　そして、杆状部材でなるストッパー手段22を本体ケース２の側方から挿入してこの本体ケース２の側壁及び両透光性表示パネル４、導光パネル３を貫通させ、図７（ｃ）に示す如く、カバー板13を閉じる。この場合、けんどん式に取着された前記両透光性表示パネル４の上方への移動がストッパー手段22によって阻止されるので、両透光性表示パネル４はガタツキや地震振動等によっても上方へ浮き上がり移動せず、落下しないようより安全に保持される。
【００４９】
　しかも、杆状部材でなるストッパー手段22が本体ケース２及び導光パネル３を貫通するよう着脱自在に付設されるので、透光性表示パネル４はその上端辺部4aが同ストッパー手段22に当止して（この実施形態では、透光性表示パネル４の上端辺部4a付近に穿設された通孔26の孔縁が杆状部材でなるストッパー手段22に当止される）上方へ浮き上がり移動せず、このストッパー手段22の着脱作業も杆状部材の螺合差し抜き操作によって簡単に行われるようになる。なお、それ以外は、上記第一の実施形態と同様に構成され、同第一の実施形態におけると同様の作用効果が奏される。
【図面の簡単な説明】
【００５０】
【図１】本発明の第一の実施形態である表示用照明装置を示す要部縦断面図。
【図２】同表示用照明装置の全体を示す（ａ）は正面図、（ｂ）は平面図、（ｃ）は側面図。
【図３】同表示用照明装置を示す要部斜視図。
【図４】同表示用照明装置において透光性表示パネルを取り付ける状態を示す要部縦断面図。
【図５】本発明の第二の実施形態である表示用照明装置を示す要部縦断面図。
【図６】本発明の第三の実施形態である表示用照明装置を示す分解斜視図。
【図７】同表示用照明装置において透光性表示パネルを取り付ける状態を示す（ａ）、（ｂ）、（ｃ）各取り付け段階における縦断面図。
【符号の説明】
【００５１】
　１　光源
　２　本体ケース
　３　導光パネル
　3a　端縁部（上端縁部）
　3b　下端縁部
　４　透光性表示パネル
　4a　一端辺部（上端辺部）
　4b　他端辺部（下端辺部）
　５　開口部
　６　止め具
　７　透明板
　８　透光ボックス
　９　導光板
　20　パッキン
　21　支持フレーム
　22　ストッパー手段
【図１】
2004139028.tif 000003
【図２】
2004139028.tif 000004
【図３】
2004139028.tif 000005
【図４】
2004139028.tif 000006
【図５】
2004139028.tif 000007
【図６】
2004139028.tif 000008
【図７】
2004139028.tif 000009